(57)【要約】【課題】本発明は、アンテナ性能を確保しつつ、電子機器の短小化、小型化を実現するアンテナ装置を提供することを目的とする。【解決手段】本発明は、基体と、基体に設けられたヘリカル部と、基体の両端に設けられた端子部を有し、ヘリカル部と端子部が電気的に接続されるとともに、端子部の一方が給電部に接続され他方が開放部に接続されるヘリカルアンテナ１と、ヘリカルアンテナ１が実装されるアンテナ実装基板１７を有し、アンテナ実装基板１７が回路素子の実装されている回路基板１５と電気的に接続されるとともに、アンテナ実装基板１７の主面方向が回路実装基板の主面方向と傾斜して配置される構成とする。【選択図】図８
2005057415.tif 000002
【特許請求の範囲】
【請求項１】
基体と、前記基体に設けられたヘリカル部と、基体の両端に設けられた端子部を有し、前記ヘリカル部と前記端子部が電気的に接続されるとともに、前記端子部の一方が給電部に接続され他方が開放部に接続されるヘリカルアンテナと、
前記ヘリカルアンテナが実装されるアンテナ実装基板を有し、前記アンテナ実装基板が回路素子の実装されている回路基板と電気的に接続されるとともに、アンテナ実装基板の主面方向が回路実装基板の主面方向と傾斜して配置されることを特徴とするアンテナ装置。
【請求項２】
前記ヘリカルアンテナが、導電膜が施された基体をトリミングしてスパイラル溝を設けることにより形成されていることを特徴とする請求項１に記載のアンテナ装置。
【請求項３】
前記ヘリカルアンテナが、前記基体に導電性の巻線を施して形成されていることを特徴とする請求項１に記載のアンテナ装置。
【請求項４】
前記アンテナ実装基板に同一もしくは異なる共振周波数を有する２以上のヘリカルアンテナが実装されていることを特徴とする請求項１〜３いずれか１に記載のアンテナ装置。
【請求項５】
前記ヘリカルアンテナの端子部の一方が接続される開放部に頂冠導体が設けられていることを特徴とする請求項１〜４いずれか１記載のアンテナ装置。
【請求項６】
前記ヘリカルアンテナがアンテナ実装基板の面のうち、回路基板の素子実装面と対向しない面に実装されていることを特徴とする請求項１〜５いずれか１記載のアンテナ装置。
【請求項７】
前記アンテナ実装基板にグランド面が設けられていることを特徴とする請求項１〜６いずれか１記載のアンテナ装置。
【請求項８】
前記ヘリカルアンテナが、前記回路基板とアンテナ実装基板との交線となる端面と略水平となるように実装されていることを特徴とする請求項１〜７いずれか１記載のアンテナ装置。
【請求項９】
前記ヘリカルアンテナが、前記回路基板とアンテナ実装基板との交線となる端面と略垂直になるように実装されていることを特徴とする請求項１〜７いずれか１記載のアンテナ装置。
【請求項１０】
前記ヘリカルアンテナが、前記回路基板とアンテナ実装基板との交線となる端面に対して３０度以上６０度以下となるように実装されていることを特徴とする請求項１〜７いずれか１記載のアンテナ装置。
【請求項１１】
前記回路基板の主面方向とアンテナ実装基板の主面方向の傾斜が７０度以上１００度以下であることを特徴とする請求項１〜１０いずれか１記載のアンテナ装置。
【請求項１２】
前記アンテナ実装基板が、前記回路基板の主面に嵌め込まれているとともに電気的に接続されていることを特徴とする請求項１〜１１いずれか１記載のアンテナ装置。
【請求項１３】
前記アンテナ実装基板の長手方向が、前記回路基板の長手方向と略平行の状態で嵌め込まれるとともに電気的に接続されていることを特徴とする請求項１２に記載のアンテナ装置。
【請求項１４】
前記ヘリカルアンテナの少なくともヘリカル部が保護膜で覆われていることを特徴とする請求項１〜１３いずれか１記載のアンテナ装置。
【請求項１５】
請求項１〜１４いずれか１記載のアンテナ装置が、携帯電話に組み込まれることを特徴とするアンテナ装置。
【請求項１６】
前記回路基板上であって、前記アンテナ実装基板と前記回路基板上の回路素子との間にシールド板を設置したことを特徴とする請求項１〜１５いずれか１記載のアンテナ装置。
【請求項１７】
請求項１〜１６いずれか１記載のアンテナ装置と、
前記アンテナ装置と電気接続され信号処理を行う処理装置と、
前記処理装置に電流を供給する電源部と、
これらを格納する筺体を有することを特徴とする電子機器。
【請求項１８】
前記回路基板の長さが前記筺体の長さ未満であり、前記アンテナ実装基板の高さが前記筺体の厚さ未満であることを特徴とする請求項１７に記載の電子機器。
【請求項１９】
前記電子機器がノートブックパソコンであることを特徴とする請求項１７に記載の電子機器。
【請求項２０】
前記電子機器が携帯端末であることを特徴とする請求項１７に記載の電子機器。
【発明の詳細な説明】
【技術分野】
【０００１】
本発明は、移動体通信やパーソナルコンピュータなどの無線通信を行う電子機器等に好適に用いられるアンテナ装置に関するものである。
【背景技術】
【０００２】
携帯電話において、携帯電話の小型化を図るためにアンテナ素子を内蔵することが増えている。また、ノートブック型パソコンなどの携帯型モバイル電子機器においても、無線ＬＡＮなどを用いたデータ通信を行うものが増えており、これらの電子機器内部にアンテナ素子を内蔵することが行われている（例えば特許文献１、特許文献２参照）。
【０００３】
更に、携帯電話においては欧州を中心としたＧＳＭでは９００ＭＨｚ、１．８ＧＨｚ、１．９ＧＨｚの３種類の周波数の規格があり、更に無線ＬＡＮでは２．４ＧＨｚと５ＧＨｚの２種類の周波数帯の規格があり、これらすべてに対応するために、共振周波数の異なる複数のアンテナ素子が実装されることが行われている（例えば特許文献３参照）。内蔵されるアンテナ素子としては磁性体を用いたセラミックアンテナや基板パターンにより形成されたパターンアンテナなどがある。
【０００４】
図２０は従来の技術におけるアンテナ装置を含む回路基板の構成図である。１００は回路基板、１０１はアンテナ実装部、１０２は処理回路、１０３はアンテナ素子、１０４はグランド面、１０５はアンテナ実装長である。回路基板１００は携帯電話などの携帯端末に組み込まれる場合を想定し、長方形に近い形状の主基板となっている。このため、回路基板１００の大きさ、形状に合わせて、携帯端末の筺体の形状、大きさが決定される。すなわち、電子機器としての携帯端末の大きさ、形状はこの回路基板１００の大きさ、形状に依存することになる。
【０００５】
アンテナ素子１０３は回路基板１００のセラミックアンテナやパターンアンテナが用いられ、送受信周波数から算出される波長「λ」を基準として、λ／２型、λ／４型などのアンテナ素子が用いられる。処理回路１０２では送信信号の変調や受信信号の復調などが行われ、図には示されていないが処理回路１０２とアンテナ素子１０３は給電線により接続されている。グランド面１０４はアンテナ素子１０３が必要とするグランド面で、アンテナ素子１０３の送受信利得を十分に確保するために必要とされる領域である。
【０００６】
また、アンテナ素子１０３はアンテナ実装部１０１に実装される。アンテナ実装部１０１は回路基板が組み込まれる電子機器の仕様に応じてその実装位置が決定されるが、携帯端末などの場合には、携帯端末の先端部にアンテナ素子１０３が来るように決定されることが通常である。このようにアンテナ素子１０３、ならびにアンテナ素子１０３の送受信利得を確保するためのグランド面１０４の大きさから、アンテナ実装長１０５が決定される。
【特許文献１】特開２００３−１６３５２１号公報
【特許文献２】特開平１０−２００４３８号公報
【特許文献３】特開平１１−４１１７号公報
【発明の開示】
【発明が解決しようとする課題】
【０００７】
しかしながら、従来のアンテナ装置では、図２０のアンテナ実装長１０５から明らかな通り回路基板１００上で大きな実装領域を必要とする。特に、通常には回路基板の先端にアンテナ素子１０３を実装する必要があるため、それだけ回路基板１００の長さが必要と
なってしまう問題があった。このように回路基板が長くなるとその分だけこれを格納する筺体の長さも長くなることとなり、携帯端末の小型化が困難となる問題があった。
【０００８】
特に、アンテナ素子を小型化するためにλ／４型アンテナを用いる場合には、利得を確保するために十分なグランド面１０４を確保する必要性がある。このためアンテナ実装長はこのグランド面にも依存して長大化することになる。このため回路基板がこのグランド面１０４を含めて長大化してしまい、これにつれて筺体の大きさも更に長大化する問題がある。特に、アンテナ素子１０３の送受信利得を高めるには、グランド面１０４で発生するイメージ電流を利用する必要があるため、アンテナ素子１０３をグランド面１０４の端面に対して略垂直に立てる必要があるが、この場合には更にアンテナ実装長１０５が長くなってしまう。結果として小型化が要求される携帯端末などの電子機器の長さを長くしてしまい、短小化の実現を困難としていた。特にポケットサイズなどの携帯端末を実現するためには、その筺体の長さを短くする必要性が高いため、回路基板１００においてアンテナ実装長１０５を短くすることが必要とされていた。
【０００９】
一方、筺体が長大化するのを防止するためにグランド面１０４の面積を不十分にしたり、アンテナ素子１０３を他の回路素子と非常に密接に実装したりした場合には、アンテナ素子１０３の利得が不十分となったり、他の回路素子と相互干渉を生じたりするなどの問題が発生する。
【００１０】
本発明は、送受信利得などのアンテナ性能向上を十分に確保しつつ、携帯端末などの電子機器の短小化を実現できるアンテナ装置を供給することを目的とする。
【課題を解決するための手段】
【００１１】
本発明は、基体と、基体に設けられたヘリカル部と、基体の両端に設けられた端子部を有し、ヘリカル部と端子部が電気的に接続されるとともに、端子部の一方が給電部に接続され他方が開放部に接続されるヘリカルアンテナと、ヘリカルアンテナが実装されるアンテナ実装基板を有し、アンテナ実装基板が回路素子の実装されている回路基板と電気的に接続されるとともに、アンテナ実装基板の主面方向が回路実装基板の主面方向と傾斜して配置される構成とする。
【発明の効果】
【００１２】
本発明では、アンテナ素子として基体に巻線を施した、あるいは導電膜に覆われた基体をトリミングして形成されたヘリカルアンテナを用いることで、アンテナ素子そのものを小型化することが可能となり、アンテナ実装面積を低減することが可能となる。
【００１３】
また、ヘリカルアンテナとこれに必要なグランド面を実装したアンテナ実装基板を、回路素子の実装された回路基板と屈曲して形成することで、３次元的な空間を有効活用してヘリカルアンテナを実装することが可能となる。更に、同一平面上からアンテナ実装長を排除することが可能となるので、回路基板の長さを短小化することができ、結果としてこれを格納する筺体、ならびに電子機器の長さを短小化することが実現される。また、アンテナ実装基板が屈曲し、ヘリカルアンテナがアンテナ実装基板の裏面に実装されるため干渉などを防ぐ緩衝領域が不要となるので、アンテナ実装基板の高さは低くて澄む。このため、屈曲させた場合であっても筺体の厚みに悪影響を及ぼさず、小型化も可能となる。
【００１４】
また、回路基板と屈曲して形成されたアンテナ実装基板上に、ヘリカルアンテナとこれに対応するグランド面が実装されるため、送受信利得などのアンテナ性能を十分に確保しておくことが可能である。更に、ヘリカルアンテナを屈曲したアンテナ実装基板の回路基板との対向面の裏面に実装することで、回路素子との相互干渉を排除するシールド効果も期待でき、全体としての送受信性能を維持、向上させることが可能となる。すなわち、送
受信利得などのアンテナ性能を確保しつつ、電子機器の短小化、小型化を同時実現することが可能となる。
【００１５】
また、ヘリカルアンテナをアンテナ実装基板の端面と略垂直に実装することでグランド面に発生するイメージ電流を十分に活用することができ、送受信利得を最大にすることが可能となる。また略水平に実装することで屈曲したアンテナ実装基板の高さを最小化して筺体の厚みを薄くすることができる。また、その中間として一定の角度をもって実装することで、送受信利得と面積低下のバランスをとることができる。以上のような種々のバリエーションに応じた実装形態とすることで、電子機器の形状や性能仕様に容易に対応することができる。
【発明を実施するための最良の形態】
【００１６】
本発明の請求項１に記載の発明は、基体と、基体に設けられたヘリカル部と、基体の両端に設けられた端子部を有し、ヘリカル部と端子部が電気的に接続されるとともに、端子部の一方が給電部に接続され他方が開放部に接続されるヘリカルアンテナと、ヘリカルアンテナが実装されるアンテナ実装基板を有し、アンテナ実装基板が回路素子の実装されている回路基板と電気的に接続されるとともに、アンテナ実装基板の主面方向が回路実装基板の主面方向と傾斜して配置されることを特徴とするアンテナ装置であって、３次元空間を有効に活用し、アンテナ性能を維持しつつアンテナ実装体積を削減し、電子機器の短小化、小型化を実現する作用を有する。
【００１７】
本発明の請求項２に記載の発明は、ヘリカルアンテナが、導電膜が施された基体をトリミングしてスパイラル溝を設けることにより形成されていることを特徴とする請求項１に記載のアンテナ装置であって、アンテナ素子そのものを非常に小型とできる作用を有する。
【００１８】
本発明の請求項３に記載の発明は、ヘリカルアンテナが、基体に導電性の巻線を施して形成されていることを特徴とする請求項１に記載のアンテナ装置であって、アンテナ素子そのものを非常に小型とできる作用を有する。
【００１９】
本発明の請求項４に記載の発明は、アンテナ実装基板に同一もしくは異なる共振周波数を有する２以上のヘリカルアンテナが実装されていることを特徴とする請求項１〜３いずれか１に記載のアンテナ装置であって、電子機器の短小化、小型化を実現しつつ、多周波数の無線通信に対応することができる。
【００２０】
本発明の請求項５に記載の発明は、ヘリカルアンテナの端子部の一方が接続される開放部に頂冠容量が設けられていることを特徴とする請求項１〜４いずれか１記載のアンテナ装置であって、送受信帯域の広帯域化を実現することが可能となる。
【００２１】
本発明の請求項６に記載の発明は、ヘリカルアンテナがアンテナ実装基板の面のうち、回路基板と対向しない面に実装されていることを特徴とする請求項１〜５いずれか１記載のアンテナ装置であって、ヘリカルアンテナと回路素子との間の相互干渉を低減させることができ、余分な緩衝領域を削減して電子機器の厚みを低減することができる。
【００２２】
本発明の請求項７に記載の発明は、アンテナ実装基板にグランド面が設けられていることを特徴とする請求項１〜６いずれか１記載のアンテナ装置であって、ヘリカルアンテナのグランド面を確保することができる。
【００２３】
本発明の請求項８に記載の発明は、ヘリカルアンテナが、回路基板とアンテナ実装基板との交線となる端面と略水平となるように実装されていることを特徴とする請求項１〜７
いずれか１記載のアンテナ装置であって、アンテナ実装基板の高さを最小にすることができる。
【００２４】
本発明の請求項９に記載の発明は、ヘリカルアンテナが、回路基板とアンテナ実装基板との交線となる端面と略垂直になるように実装されていることを特徴とする請求項１〜７いずれか１記載のアンテナ装置であって、ヘリカルアンテナの電流密度分布を最適とし、送受信利得を最大にすることができる。
【００２５】
本発明の請求項１０に記載の発明は、ヘリカルアンテナが、回路基板とアンテナ実装基板との交線となる端面に対して３０度以上６０度以下となるように実装されていることを特徴とする請求項１〜７いずれか１記載のアンテナ装置であって、ヘリカルアンテナの送受信利得とアンテナ実装基板の高さのバランスを最適化することができる。
【００２６】
本発明の請求項１１に記載の発明は、回路基板の主面方向とアンテナ実装基板の主面方向の傾斜が７０度以上１００度以下であることを特徴とする請求項１〜１０いずれか１記載のアンテナ装置であって、アンテナ特性と電子機器の小型化のバランスを最適化することができる。
【００２７】
本発明の請求項１２に記載の発明は、アンテナ実装基板が、回路基板に嵌め込まれているとともに電気的に接続されていることを特徴とする請求項１〜１１いずれか１記載のアンテナ装置であって、アンテナ実装基板と回路基板との接続部の強度向上をはかることができる。
【００２８】
本発明の請求項１３に記載の発明は、アンテナ実装基板の長手方向が、回路基板の長手方向と略平行の状態で嵌め込まれるとともに電気的に接続されていることを特徴とする請求項１２に記載のアンテナ装置であって、指向性を最適化することができる。
【００２９】
本発明の請求項１４に記載の発明は、ヘリカルアンテナの少なくともヘリカル部が保護膜で覆われていることを特徴とする請求項１〜１３いずれか１記載のアンテナ装置であって、ヘリカルアンテナの耐久性や耐候性をたかめることができる。
【００３０】
本発明の請求項１５に記載の発明は、請求項１〜１４いずれか１記載のアンテナ装置が、携帯電話に組み込まれることを特徴とするアンテナ装置であって、３次元的空間を利用したアンテナ装置の構造により、携帯電話の短小化、小型化を実現することができる。
【００３１】
本発明の請求項１６に記載の発明は、回路基板上であって、アンテナ実装基板と回路素子の間にシールド板を設置したことを特徴とする請求項１〜１５いずれか１記載のアンテナ装置であって、回路基板上の回路素子とヘリカルアンテナとの相互干渉を積極的に低減することができる。
【００３２】
本発明の請求項１７に記載の発明は、請求項１〜１６いずれか１記載のアンテナ装置と、アンテナ装置と電気接続され信号処理を行う処理装置と、処理装置に電流を供給する電源部と、これらを格納する筺体を有することを特徴とする電子機器であって、電子機器の短小化、小型化を実現できる。
【００３３】
本発明の請求項１８に記載の発明は、回路基板の長さが筺体の長さ未満であり、アンテナ実装基板の高さが筺体の厚さ未満であることを特徴とする請求項１７に記載の電子機器であって、回路基板とアンテナ実装基板の大きさにより筺体の大きさを小型化することができる。
【００３４】
本発明の請求項１９に記載の発明は、電子機器がノートブックパソコンであることを特徴とする請求項１７に記載の電子機器であって、ノートブックパソコンの小型化が実現できる。
【００３５】
本発明の請求項２０に記載の発明は、電子機器が携帯端末であることを特徴とする請求項１７に記載の電子機器であって、携帯端末の短小化、小型化が実現できる。
【００３６】
以下、図面を用いて説明する。
【００３７】
（実施の形態１）
図１、図２、図３、図４は本発明の実施の形態１におけるヘリカルアンテナの斜視図である。図５、図６は本発明の実施の形態１におけるヘリカルアンテナの等価回路図である。図７は本発明の実施の形態１におけるヘリカルアンテナの製造工程図である。
１はヘリカルアンテナ、２はヘリカル部、３、４は端子部、５はスパイラル溝、６は基体、７は保護膜、８は導体部である。端子部３、４のいずれか一方は給電部に接続され、他方は開放部に接続される。
【００３８】
図１を用いてヘリカルアンテナの構成について説明する。
【００３９】
基体６はアルミナもしくはアルミナを主成分とするセラミック材料等の絶縁体もしくは誘電体などをプレス加工、押し出し法等を施して形成される。なお、基体６の構成材料としては、フォルステライト、チタン酸マグネシウム系、チタン酸カルシウム系、ジルコニア・スズ・チタン系、チタン酸バリウム系、鉛・カルシウム・チタン系などのセラミック材料を用いてもよく、エポキシ樹脂などの樹脂材料を用いても良い。実施の形態１では、強度や絶縁性或いは加工の容易性の面からアルミナもしくはアルミナを主成分としたセラミック材料が用いられている。更に基体６には全体に銅、銀、金、ニッケル等の導電材料で構成された導電膜が単層乃至複数積層され、導電性を有する表面が形成される。導電膜はめっき、蒸着、スパッタ、ペーストなどが用いられる。
【００４０】
端子部３、４は、基体６の両端に形成され、導電性のメッキ膜，蒸着膜，スパッタ膜等の薄膜や、銀ペーストなどを塗布して焼き付けなどを行ったものなどの少なくとも一つが用いられる。
【００４１】
なお、基体６は端子部３、４と同一の大きさの断面を有していてもよいが、段落ちされてもよく、基体６の断面積は端子部３、４の断面積よりも小さくされてもよい。基体６の外周が段落ちされることで、実装時に基体６がアンテナ実装基板の表面からの距離を持つことが可能となり、特性の劣化を防ぐことが可能になる。このとき段落ちを基体６の一部の面に対してのみおこなってもよく、全面に渡って段落ちさせてもよい。全面に渡って段落ちさせた場合には、実装時に電子基板との接する面を選択する留意が不要となり、実装時のコストを低下させることができる。
【００４２】
また、基体６の各角部に面取りを施してもよい。この面取りを設けることで、基体６の欠けが防止され、導電膜が薄くなるのが防止され、或いはヘリカル部２の損傷が防止される。
【００４３】
ここで、基体６と端子部３、４は個別に形成して後から貼り合わせるなどで一体化してもよく、あらかじめ一体で形成してもよい。また、基体６は四角の角形状でなくとも、三角や五角の多角形状でもよく、円柱状でもよい。円柱状の場合には、角部が存在しなくなるので耐衝撃性が高まり、スパイラル溝５の形成が容易となるメリットがある。
【００４４】
ヘリカル部２は基体６の導電性を有する基体６の表面をレーザーなどによるトリミングを用いて螺旋状に掘削してスパイラル溝５が形成され、インダクタ成分を有している。ヘリカル部２の一方の端部は端子部３と接続されており、ヘリカル部２の他方の端部は端子部４と接続されており、それぞれの接続間において容量成分を有している。すなわち、インダクタ成分と容量成分が直列接続構造により接続されている。なお、ヘリカルアンテナ１はλ／４型アンテナであってもよく、λ／２型アンテナであってもよいが、小型化をより促進するためにλ／４型アンテナが用いられることが多く、この場合にはヘリカルアンテナ１の近辺に存在するグランド面に生じるイメージ電流を利用して、送受信利得が確保される。
【００４５】
また、図１には示されていないが端子部３、４の一方は給電部と接続され、この給電部は半田ランドなどにより形成され、同様に開放部も半田ランドなどで形成される。このとき半田ランドに用いられるはんだは鉛フリーの半田が用いられることで、環境への影響が少ない電子機器とすることが可能となる。
【００４６】
次に図２に表されるヘリカルアンテナ１は、表面に保護膜７が施されたものである。保護膜が設けられることで、基体６の導電膜への損傷やスパイラル溝５などの損傷を防止することが可能となる。特に運搬時や実装時の衝撃や熱から守ることが可能となる。保護膜７としては、チューブ状の保護膜や、ペースト状の保護膜が用いられる。
【００４７】
ペースト状保護膜はエポキシ樹脂などの樹脂材料が塗布されることで実現される。なお、塗布などにより保護膜７が形成されると、スパイラル溝５内部に保護膜７が入り込み、保護膜７が高誘電率の材料であるとアンテナの共振周波数を変動させる恐れがある。このため保護膜７に用いる材料には、低誘電率のものが好ましい。ただし、ある程度保護膜７の誘電率を考慮に入れた上で、ヘリカル部の形状、大きさを設計しておくことで、所望の周波数などのアンテナ特性を得ることができる。また、好ましくは、保護膜７は基体６の段落ちした部分に収納されるように形成されることで、端子部３、４の側面の高さと保護膜７の側面の高さが等しいかそれ以下となるように構成することが好ましい。これにより、アンテナ実装基板への実装時の作業の容易性が確保されるからである。
【００４８】
チューブ状保護膜は、チューブ形状をした保護膜を基体６周囲に装着し、熱を加えて圧着させて実現される。チューブ状保護膜はヘリカル部２を覆うように形成されるため、スパイラル溝５内部に保護膜が流れ込まない。このため、チューブ状保護膜を設けることによるアンテナ特性の変動が生じることはない。好ましくはチューブ状保護膜としては樹脂製でしかも熱収縮性のあるものを選ぶことが好ましい。これは、基体６にチューブ状保護膜を被せ、熱処理することでチューブが収縮し、確実にチューブ状保護膜を基体６上に形成することができるからである。
【００４９】
また、保護膜７は基体６表面に形成され、少なくともヘリカル部２を覆うように形成されることが好ましい。保護膜７により端子部３、４も覆われてもよいが、端子部３、４を除外して保護膜７が形成されることで、実装時の悪影響を回避することができる。また、保護膜７と端子部３、４の色を異ならせることで自動実装時の画像認識において、容易に端子部３、４をヘリカルアンテナ１の中から見分けることが可能となるメリットがある。この場合には、実装時に端子部３、４以外が半田ランドなどと接続されることがなくなるメリットがある。
【００５０】
図５を用いてヘリカルアンテナの動作を説明する。図５にはヘリカルアンテナの等価回路が表されている。スパイラル溝５が設けられたヘリカル部２はインダクタ成分Ｌを有し、ヘリカル部２以外の部分は容量成分Ｃを有し、これらのインダクタ成分Ｌと容量成分Ｃは直列に接続されている。この等価回路から明らかな通り、共振周波数ωは次の（数１）
で表され、
【００５１】
【数１】
2005057415.tif 000003
【００５２】
この（数１）から明らかな通り、共振周波数はインダクタ成分Ｌと容量成分Ｃにより定まり、結果としてヘリカルアンテナ１の送受信周波数はインダクタ成分Ｌと容量成分Ｃにより決定される。よって、ヘリカルアンテナ１は（数１）で定まる送受信周波数により動作して、電波の送信、ならびに受信を行う。
【００５３】
次に図３に表されるヘリカルアンテナ１は、ヘリカル部２が複数存在する多周波数対応のものである。
【００５４】
図３に表されるヘリカルアンテナ１にはヘリカル部２が複数形成されている。また導体部８はヘリカル導体部と交互に配置されており、ヘリカルアンテナ１はインダクタ成分と容量成分が交互に存在する状態である。複数のインダクタ成分と容量成分との存在により、ヘリカルアンテナ１は複数の共振周波数を有することになり、多周波数に対応した送受信周波数を有することになる。図４に表されるヘリカルアンテナ１は基体６が円柱状の形状を有している場合である。円柱状の形状を有することで、レーザーなどを用いたトリミングが容易に実現でき、トリミングにより形成されるトリミング溝５の幅や間隔の精度が高まって、目標とする送受信周波数性能の実現の精度が高まるメリットがある。
【００５５】
なお、図３、図４ではヘリカル部２が二つ存在する場合のヘリカルアンテナ１が示されたが、ヘリカル部２は３以上あってもよく、この場合には３以上の送受信周波数に対応することができる。
【００５６】
次に図６を用いて多周波数に対応したヘリカルアンテナ１の動作について説明する。
【００５７】
図６（ａ）はヘリカル部２が一つのみである図１に示されるヘリカルアンテナ１の等価回路であり、インダクタ成分Ｌ１と容量成分Ｃ１とにより定まる送受信周波数で動作するのは、説明したとおりである。一方、ヘリカル部２と導体部８が二つ存在する図３、図４に表されるヘリカルアンテナ１の等価回路が図６（ｂ）に示されており、インダクタ成分Ｌ１、Ｌ２と容量成分Ｃ１、Ｃ２とにより定まるそれぞれの共振周波数を有することになる。すなわち、Ｌ１とＣ１を元に（数１）から定まる共振周波数と、それぞれの合成インダクタ成分、合成容量成分を元に（数１）から定まる共振周波数の二つの周波数を送受信周波数として動作する。図６（ｃ）に表される等価回路ではインダクタ成分Ｌ１、Ｌ２、Ｌ３と容量成分Ｃ１、Ｃ２、Ｃ３の３つのインダクタ成分と容量成分から３種類の共振周波数を有しており、３つの送受信周波数として動作するヘリカルアンテナである。
【００５８】
なお、インダクタ成分はスパイラル溝５の巻き数に比例して定まり、共振周波数はインダクタ成分の平方根の値に反比例する。このため、給電部側のインダクタ成分Ｌ１を実現するスパイラル溝５の巻き数を最も少なくすることで、より高周波の送受信周波数を実現することができる。
【００５９】
以上のように、基体６にヘリカル部２を多数設けることで、多数の送受信周波数に単一素子で対応するヘリカルアンテナ１を実現することが可能である。
【００６０】
次に図７を用いて、ヘリカルアンテナ１の工法について説明する。
【００６１】
１０は回転支持台であり、１１はモーターであり、１２はレーザー照射器であり、１３は導電膜付基体であり、１４はスパイラル溝である。導電膜付基体１３は実施の形態１で説明したとおり、アルミナもしくはアルミナを主成分とするセラミック材料等の絶縁体もしくは誘電体材料などをプレス加工，押し出し法等を施して形成される。更に導電膜付基体１３の導電膜は、銅，銀，金，ニッケル等の導電材料で構成された導電膜を単層乃至複数積層されて形成される。
【００６２】
図７に示すとおり、回転支持台１０に導電膜付基体１３が設置され、モーター１１により回転され、レーザー照射器１２からレーザー光線が導電膜付基体１３に照射されるとともに、レーザー照射器１２かもしくは回転支持台１０の少なくとも一方を移動させることでヘリカル状のスパイラル溝１４が形成される。このとき、スパイラル溝１４は確実に導電膜を超えて掘削され、ヘリカル状の導電膜が残り、これによりヘリカル状の導電膜を有するヘリカル部２が形成される。また、一定の幅に渡ってスパイラル溝１４を形成した後、レーザー照射器１２からのレーザー照射を停止することで、導電膜付基体１３上にスパイラル溝１４が形成されない導体部８が形成される。これを所望の回数繰り返すことで、スパイラル溝１４を有する複数のヘリカル部２と複数の導体部８とが交互に形成される。なお、レーザー照射ではなく、砥石などの切削加工を用いても良い。もちろん、ヘリカル部を１箇所のみ形成する場合には、一箇所のみレーザー照射を行って、レーザー照射を終了することで実現される。
【００６３】
上述の形成方法の場合には、導電膜付基体１３の全体に導電膜を設ける構成としたので、当然のことながら端子部３、４表面にも導電膜が設けられる事になる。従って、この端子部３、４上に設けられた導電膜を実装時の接続面としても良い。また、端子部３、４表面の導電膜の上に、更にニッケルなどの耐食膜（もしくは半田食われ防止膜）かもしくはＳｎやＳｎに他の金属（鉛を除く）を加えた鉛フリー半田などからなる接合膜の少なくとも一方を設けても良い。また、導電膜を端部以外の基体表面にのみ設け、端子部３、４表面に銀ペーストなどの導電ペースト材料を塗布して焼き付け、しかも焼き付けた導体と導電膜を電気的に接続させて端子部３、４を形成してもよい。また、焼き付けた導体の上に、耐食膜か接合膜の少なくとも一つを設けても良い。以上により、ヘリカルアンテナ１の製造が可能になる。
【００６４】
なお、ヘリカル部２を導線等の線状体を巻き付けることで形成しても良い。この場合には、接着剤や樹脂モールド等の部材を用いて線状体を基体６上に固定すればよい。あるいは基体６上に孤立した導電膜を複数設けこれを導体部８とし、孤立した導電膜以外の部分に線状体を巻きつけてヘリカル部２を形成してもよい。なお、各ヘリカル部２の厚みや長さ等は用いられる電子機器などの特性に応じて、適宜実験して求めることができる。
【００６５】
次に、ヘリカルアンテナ１が実装されたアンテナ装置について説明する。
【００６６】
図８、図１２、図１３は本発明の実施の形態１におけるアンテナ装置の断面図であり、図９、図１０、図１１は本発明の実施の形態１におけるアンテナ装置の斜視図である。図１４、図１５、図１６は本発明の実施の形態１におけるアンテナ実装基板の正面図である。
【００６７】
１５は回路基板、１６は回路実装領域、１７はアンテナ実装基板、１８は短縮長、１９は屈曲部、２０はグランド面、２１は端面である。図面より明らかな通り、回路基板１５の主面（回路実装領域１６の存在する面）とアンテナ実装基板１７の主面は傾斜して配置されている。更に、回路基板１５とアンテナ実装基板１７とは電気的に接続されており、ヘリカルアンテナ１で受信した信号が回路基板１５に実装されている回路素子に伝送され、逆に回路素子からの信号がヘリカルアンテナ１に給電される。さらに、傾斜をもって電気的接続されておればよく、一体のエポキシ基板を折り曲げて構成してもよく、回路基板１５とアンテナ実装基板１７を別途作成してから傾斜をもって配置してもよい。なお、傾斜をもって回路基板１５とアンテナ実装基板１７を配置するには、接着や溶接、嵌合、ねじ止めなどがあり、物理的な隙間が、回路基板１５とアンテナ実装基板１７との間に存在してもよい。
【００６８】
なお、図８には表していないが、回路基板１５に、アンテナ実装基板１７と回路素子との間にシールド板を設置することも好適である。これにより相互干渉を積極的に低減することができる。
【００６９】
従来は回路基板１５がアンテナ実装基板１７と同一基板であり、同一平面上に存在していた。これを屈曲部１９を基点としてアンテナ実装基板１７を折り曲げて、このアンテナ実装基板１７にヘリカルアンテナ１とグランド面２０が実装されている。このヘリカルアンテナ１とグランド面２０を実装するアンテナ実装基板１７を、処理回路などのＬＳＩやディスクリート素子の実装された回路基板１５に対して、屈曲させて３次元的空間を活用することにより、短縮長１８が生じる。短縮長１８により、回路基板全体の長さが短小化することが可能となり、これを格納する筺体、すなわち電子機器の短小化も実現される。特に、携帯端末などは筺体の大きさ、形状が回路基板に大きく依存するため、短縮長１８を確保することで、携帯端末の長さを短小化することができ、携帯端末の短小化の要望を実現することが可能となる。また、従来のように同一平面に存在する回路基板上に処理回路やアンテナ素子を実装する場合には、回路素子との干渉防止などのために、回路実装領域１６との間に大きな緩衝領域が必要となっていたのに対して、屈曲させたアンテナ実装基板とすることで、これらの回路素子との相互緩衝も軽減されるため、緩衝領域が削減できる。このため、短縮長１８の長さすべてを屈曲させたアンテナ実装基板１７の高さＨとする必要がない。ここで、アンテナ実装基板１７の高さＨは格納する筺体の厚みにかかわって来るが、緩衝領域などが不要になることから短縮長１８の長さすべてが高さＨに転化されるわけではないので、筺体の厚みを余分に厚くするデメリットはほとんど生じない。これにより、携帯端末の短小化を実現しつつも、携帯端末の厚みを厚くすることもなく、全体としての携帯端末の体積低減を実現することができるものである。
【００７０】
このように、本発明で説明されるアンテナ装置は、短小化や小型化が要求されるために、高密度実装が必須となっている携帯電話などの携帯端末において、利得確保や干渉排除などで実装領域の確保が困難となるアンテナ装置を、３次元領域を活用して確保し、利得などの性能を非常に小さな実装面積で維持した上で、全体としての実装効率を向上させることができるものである。このため、本発明のアンテナ装置は携帯電話などの携帯端末に最適に用いられるが、これ以外に無線通信を行う電子機器、例えば無線ＬＡＮを実行するノートブックパソコンなどにも好適に用いられるのはもちろんである。
【００７１】
なお、ヘリカルアンテナ１は、アンテナ実装基板１７の面のうち、回路基板１５と対向
する面と反対の面に実装されるのが好ましい。これによりヘリカルアンテナ１と回路実装領域１６に実装されている各種回路素子との間の相互干渉を防止して、アンテナ性能を向上させることができる。これにより、上述した緩衝領域を更に削減することができる。
【００７２】
更に、通常アンテナ実装基板１７が格納された筺体の上部に存在することが多い。例えば、アンテナ装置が用いられる電子機器が携帯電話であれば、アンテナ実装基板は携帯電話の上部に存在することになり、実際の使用形態でも、ユーザーから見た上方に位置する。このため、ヘリカルアンテナ１をアンテナ実装基板１７の裏面に実装すれば、上方から外部空間への見通しがよくなることになり、送受信性能が向上するメリットがある。なお、アンテナ性能との兼ね合いでヘリカルアンテナ１を回路基板１５との対向するアンテナ実装基板１７の面に実装してもよい。また、ヘリカルアンテナ１の開放部に頂冠導体を設け、負荷容量を大きくすることで、広帯域化を実現することも好適である。頂冠導体は、基板パターンや半田ランドなどで種々の形状で形成すればよい。
【００７３】
また、グランド面２０がヘリカルアンテナ１と一緒にアンテナ実装基板１７に実装されることで、ヘリカルアンテナ１が必要とするグランド領域がアンテナ実装基板１７に確保される。これにより、ヘリカルアンテナ１がλ／４型アンテナである場合に必要となるイメージ電流が発生するグランド面が、ヘリカルアンテナ１の近傍に確保されることになり、送受信利得の確保が実現される。
【００７４】
なお、図８〜図１１には図示されていないが、ヘリカルアンテナ１の端子部の一方は給電部に接続されており、給電部には基板パターンにより処理回路と電気的に接続されている。このため回路基板１５とアンテナ実装基板１７は電気的に接続されている。さらにヘリカルアンテナ１の他方の端子部は開放部に接続されており、電波放射が実現される。開放部としては半田ランドなどに端子部が接続されることで実現される。
【００７５】
図９には図８で説明したアンテナ装置が斜視図として表されており、図８で説明したとおりの構成を有している。なお、図９ではヘリカルアンテナ１が回路基板１５との対向面に実装されているように見えるが、その裏面に実装されるのが好適である。
【００７６】
なお、図８、図９ではヘリカルアンテナ１は、アンテナ実装基板１７と回路基板１５の交線となる端面２１に対して略平行に実装されている。略平行に実装される場合には、グランド面２０に発生するイメージ電流によるヘリカルアンテナ１上に発生する電流密度を増加させる寄与力が少ないため、送受信利得向上がやや減少するが、アンテナ実装基板１７の高さＨが当然ながら小さくなるため、実装体積を最小化することができるメリットがある。
【００７７】
図１０、図１１には別の形態でヘリカルアンテナ１が実装されたアンテナ装置が表されている。図１０でのヘリカルアンテナ１は回路基板１５とアンテナ実装基板１７の交線となる端面２１に対して、略垂直に実装されている。この場合には、グランド面２０には、ヘリカルアンテナ１上に発生する電流密度と同一ベクトルにイメージ電流が発生するため、ヘリカルアンテナ１の送受信利得を向上させる寄与度が最大になる。このため、略垂直に実装した場合には、アンテナ実装基板１７の高さＨが最大になるが、送受信利得も最大になるメリットがある。
【００７８】
一方、図１１では、ヘリカルアンテナ１が斜めに実装されている。この場合には、グランド面２０に発生するイメージ電流のもつ、送受信利得の向上に対する寄与度は中間のレベルであり、更に実装に必要な高さＨも中間のレベルになる。このため、送受信利得とアンテナ実装基板１７の高さＨのバランスを取ることが可能な実装形態である。このため、斜めに実装する場合には、そのバランスを最も適切に図るために、端面２１とヘリカルア
ンテナ１の交差角が３０度以上６０度以下とすることが望ましい。但し、これ以外の角度をもって実装してもよい。
【００７９】
なお、回路基板１５とアンテナ実装基板１７との屈曲部１９の屈曲角度は、筺体の形状などに応じて任意に定められればよいが、回路基板１５とアンテナ実装基板１７の対向面に作られる角度θが９０度以下であることが、短縮長１８を最大にすることから望ましい。また、θを９０度よりも更に小さくすることで、アンテナ実装基板の高さＨを小さくすることが可能となるが、あまりに小さくしすぎるとヘリカルアンテナ１と回路実装領域１６に存在する回路素子との距離が近づくため、相互緩衝などの問題が生じる。このため、７０度から１００度の間に定めることが望ましく、強度や加工性の観点からほぼ９０度とすることが好ましい。すなわち、回路基板１５の主面とアンテナ実装基板１７の主面同士の作る傾斜は７０度から１００度がよく、好ましくは略垂直に構成することが望ましい。
【００８０】
次に、図１２、図１３は更に別の形態のアンテナ装置である。
【００８１】
図１２には、アンテナ実装基板１７が回路基板１５と回転した状態で接続されている状態である。特に、アンテナ実装基板１７の長手方向が回路基板１５の長手方向と略平行に接続される形態がのぞましい。このように両者の長手方向が略平行になって接続されている場合には、結果としてヘリカルアンテナ１が回路基板１５の長手方向と略平行に実装される。すなわち、これらを格納する電子機器の筺体の長手方向と略平行にヘリカルアンテナ１が実装される。この場合には、ヘリカルアンテナ１の指向性を筺体の長手方向を基準とした８の字状にすることが可能となるため、このアンテナ装置を用いる電子機器が携帯電話などである場合には、効果的な指向性を有することになる。
【００８２】
もちろん、指向性を調整するために、回路基板１５の長手方向と略平行だけでなく、一定の角度をもってアンテナ実装基板１７を嵌め込むこともよい。
【００８３】
図１３には、アンテナ実装基板１７が回路基板１５に嵌め込まれた形で実装されている。回路基板１５とアンテナ実装基板１７の接続においては、図８に示されるような屈曲部１９を設けるよりも、完全に別基板で形成した後に合体させることが容易な場合もある。このため、アンテナ実装基板１７を別途形成して、その後に回路基板１５に嵌め込んで実装することも、製造上の都合では好適である。特に、屈曲部１９を設けた構成よりも、強度が高くなるというメリットがあり、耐久性の要求される場合には適切な構成である。
【００８４】
次に、図１４にはヘリカルアンテナ１が複数実装されて、複数の周波数に対応する場合が示されている。
【００８５】
２２は給電線パターン、２３は整合回路、２４は半田ランドである。なお、半田ランド２４をあらかじめ大きく形成したりパターンを用いることで、頂冠導体部を形成し広帯域化を図ることもよい。また整合回路２３はコンデンサやインダクタを用いて、ヘリカルアンテナ１のインピーダンス整合を実現する。
【００８６】
ヘリカルアンテナ１はそれぞれ異なる送受信周波数で動作するため、例えばＧＳＭなどの携帯電話で用いられる９００ＭＨｚ、１．８ＧＨｚ、１．９ＧＨｚなどに対応することも可能である。このとき、例えば一つのヘリカルアンテナ１で９００ＭＨｚに対応し、もう一方のヘリカルアンテナ１を図３などで説明した多周波数対応のヘリカルアンテナとして、１．８ＧＨｚと１．９ＧＨｚの２つの周波数に対応するように構成することもよい。もちろん、これ以外の複数の周波数に対応することも可能であり、更にヘリカルアンテナ１を３以上にすることで、対応する周波数の種類を増やすことも可能である。
【００８７】
図１４ではヘリカルアンテナ１が端面２１に略水平に実装されており、アンテナ実装基板１７の高さＨを最小化できる。
【００８８】
一方、図１５ではヘリカルアンテナ１が端面２１に対して斜めに実装されており、アンテナ実装基板１７の高さＨと利得とのバランスが重視された実装である。図１６ではヘリカルアンテナ１が端面２１に対して垂直に実装されており、グランド面２０に生じるイメージ電流の利得への寄与度を最大にすることが可能となり、高さＨはやや大きくなるが送受信利得を最大にすることが可能となる。
【００８９】
次に、実際にこのアンテナ装置を試作して、従来の同一平面に存在する回路基板にヘリカルアンテナ１を実装した場合と、本発明のように、回路基板１５と屈曲して接続されるアンテナ実装基板１７にヘリカルアンテナ１が実装される場合との体積を測定した。
【００９０】
必要な処理回路を実装するのに必要な回路基板１５と、ヘリカルアンテナ１と、アンテナ実装基板１７と、電源を組み上げて、それぞれに必要な格納体積を測定した。従来方式で試作した結果、必要な格納体積は４７２０ｍｍ2であり、本発明の方式で試作した場合には必要な格納体積は３１３５ｍｍ2であった。また、基板全体の長さは当然ながら短小化される。
【００９１】
以上のように、回路基板１５に対して屈曲したアンテナ実装基板１７にヘリカルアンテナ１を実装することで、電子機器の短小化、小型化が実現される。
【００９２】
次に、このようにヘリカルアンテナ１を実装した場合であっても、そのアンテナ性能が十分に確保されることについて説明する。
【００９３】
図１７は従来のアンテナ装置における実験結果を示す図であり、図１７（ａ）は実験に用いた構造図、図１７（ｂ）はＶＳＷＲ実験結果図、図１７（ｃ）は利得特性実験結果図である。図１８は本発明のアンテナ装置における実験結果を示す図であり、図１８（ａ）は実験に用いた構造図、図１８（ｂ）はＶＳＷＲ特性実験結果図、図１８（ｃ）は利得特性実験結果図である。
【００９４】
図１７（ａ）、図１８（ａ）から明らかな通り、従来の方式では回路基板上にヘリカルアンテナが実装された場合であり、本発明の方式ではアンテナ実装基板にヘリカルアンテナが実装されている。それぞれのＶＳＷＲ特性実験結果から明らかな通り、本発明のアンテナ装置においては従来のアンテナ装置に比較して何ら遜色がない。更に、図１７（ｃ）、図１８（ｃ）から明らかな通り、利得特性も殆ど同等かそれ以上であり、アンテナ性能が十分に確保されているのが分かる。
【００９５】
以上の結果より明らかな通り、回路基板１５に対して屈曲して接続されたアンテナ実装基板１７に、ヘリカルアンテナ１とグランド面２０を実装した場合には、その送受信利得などのアンテナ性能を低下させることなく、３次元空間を有効活用したアンテナ実装が可能となり、結果として電子機器の短小化、小型化が実現される。
【００９６】
なお、回路基板１５の長さを格納する筺体の長さ未満とし、アンテナ実装基板１７の高さＨを格納する筺体の厚さ未満となるようにあらかじめ定めて設計することで、電子機器に要求されるサイズ仕様を満足するアンテナ装置、ならびに電子機器を実現することができる。
【００９７】
（実施の形態２）
図１９は本発明の実施の形態２における電子機器の正面図である。
【００９８】
３０は電子機器、３１は処理装置、３２は電源部、３３は筺体である。なお、図１９では電子機器の一例として携帯電話が示されているが、これに限られず、種々の携帯端末、ＰＤＡ、ノートブックパソコンなどの無線通信を行う電子機器が含まれるものである。
【００９９】
ヘリカルアンテナ１は回路基板１５と屈曲して接続されたアンテナ実装基板１７に実装されている。処理装置３１は回路基板１５に実装され、必要なディスクリート素子やＬＳＩ、回路パターンなどが実装される。なお、高密度実装を更に進めるために両面実装を行うことも好適である。処理装置は、送信信号の変調や、送信周波数を実現するためのアッパーコンバージョンなどを行う。更に受信した信号の復調や再生を行い、復調されたデータの誤り訂正などを行う。また必要に応じて電子機器の表示機能の制御も行い、中央演算処理装置などにより、動作処理の全体制御や最適化、ユーザーインターフェースとの処理が実行される。また、電源部３２から処理装置やその他の電子部品に電流が供給される。
【０１００】
なお、必要なデータから変調が施されて送信処理が処理装置３１で実行される。送信処理が実行されたデータ信号がヘリカルアンテナ１から外部空間に向けて電波として送信される。これにより送信処理が実現される。
【０１０１】
逆に、受信においては、外部空間から飛来した電波がヘリカルアンテナ１で受信され、受信された電波が電流信号に変換される。ついで、電流信号は必要に応じて周波数を低下させるためのダウンコンバージョンが実行され、検波、復調が行われてもとのアナログデータやデジタルデータが取り出される。取り出されたデータは必要に応じて誤り検出や誤り訂正がなされた後に、音声や画像などが再生される。再生された音声や画像などは、スピーカーや液晶画面などを通じてユーザーが使用可能な状態となる。
【０１０２】
このときアンテナ装置は実施の形態１で説明したとおり、アンテナ実装基板１７が回路基板１５に対して屈曲して接続されている。これにより筺体３３の体積は小型化でき、更に筺体３３の短小化が実現される。
【０１０３】
また、実施の形態１で説明したとおり、アンテナ性能も十分に確保されており、アンテナ性能が確保されたまま、アンテナ装置の実装体積を減少させることができる。
【産業上の利用可能性】
【０１０４】
基体と、基体に設けられたヘリカル部と、基体の両端に設けられた端子部を有し、ヘリカル部と端子部が電気的に接続されるとともに、端子部の一方が給電部に接続され他方が開放部に接続されるヘリカルアンテナと、ヘリカルアンテナが実装されるアンテナ実装基板を有し、アンテナ実装基板が回路素子の実装されている回路基板と電気的に接続されるとともに、アンテナ実装基板と回路実装基板とが相互に屈曲して形成される構成により、送受信利得などのアンテナ性能を確保しつつ、電子機器の短小化、小型化を同時実現することが必要な用途にも適用できる。
【図面の簡単な説明】
【０１０５】
【図１】本発明の実施の形態１におけるヘリカルアンテナの斜視図
【図２】本発明の実施の形態１におけるヘリカルアンテナの斜視図
【図３】本発明の実施の形態１におけるヘリカルアンテナの斜視図
【図４】本発明の実施の形態１におけるヘリカルアンテナの斜視図
【図５】本発明の実施の形態１におけるヘリカルアンテナの等価回路図
【図６】本発明の実施の形態１におけるヘリカルアンテナの等価回路図
【図７】本発明の実施の形態１におけるヘリカルアンテナの製造工程図
【図８】本発明の実施の形態１におけるアンテナ装置の断面図
【図９】本発明の実施の形態１におけるアンテナ装置の斜視図
【図１０】本発明の実施の形態１におけるアンテナ装置の斜視図
【図１１】本発明の実施の形態１におけるアンテナ装置の斜視図
【図１２】本発明の実施の形態１におけるアンテナ装置の断面図
【図１３】本発明の実施の形態１におけるアンテナ装置の断面図
【図１４】本発明の実施の形態１におけるアンテナ実装基板の正面図
【図１５】本発明の実施の形態１におけるアンテナ実装基板の正面図
【図１６】本発明の実施の形態１におけるアンテナ実装基板の正面図
【図１７】（ａ）従来のアンテナ装置における実験に用いた構造図（ｂ）従来のアンテナ装置におけるＶＳＷＲ実験結果図（ｃ）従来のアンテナ装置における利得特性実験結果図
【図１８】（ａ）本発明のアンテナ装置における実験に用いた構造図（ｂ）本発明のアンテナ装置におけるＶＳＷＲ実験結果図（ｃ）本発明のアンテナ装置における利得特性実験結果図
【図１９】本発明の実施の形態２における電子機器の正面図
【図２０】従来の技術におけるアンテナ装置を含む回路基板の構成図
【符号の説明】
【０１０６】
１    ヘリカルアンテナ
２    ヘリカル部
３、４    端子部
５    スパイラル溝
６    基体
７    保護膜
８    導体部
１０    回転支持台
１１    モーター
１２    レーザー照射器
１３    導電膜付基体
１４    スパイラル溝
１５    回路基板
１６    回路実装領域
１７    アンテナ実装基板
１８    短縮長
１９    屈曲部
２０    グランド面
２１    端面
２２    給電線パターン
２３    整合回路
２４    半田ランド
３０    電子機器
３１    処理装置
３２    電源部
３３    筺体
１００    回路基板
１０１    アンテナ実装部
１０２    処理回路
１０３    アンテナ素子
１０４    グランド面
１０５    アンテナ実装長
【図１】
2005057415.tif 000004
【図２】
2005057415.tif 000005
【図３】
2005057415.tif 000006
【図４】
2005057415.tif 000007
【図５】
2005057415.tif 000008
【図６】
2005057415.tif 000009
【図７】
2005057415.tif 000010
【図８】
2005057415.tif 000011
【図９】
2005057415.tif 000012
【図１０】
2005057415.tif 000013
【図１１】
2005057415.tif 000014
【図１２】
2005057415.tif 000015
【図１３】
2005057415.tif 000016
【図１４】
2005057415.tif 000017
【図１５】
2005057415.tif 000018
【図１６】
2005057415.tif 000019
【図１７】
2005057415.tif 000020
【図１８】
2005057415.tif 000021
【図１９】
2005057415.tif 000022
【図２０】
2005057415.tif 000023